【手続補正書】
【提出日】平成25年7月19日(2013.7.19)
【手続補正１】
【補正対象書類名】特許請求の範囲
【補正対象項目名】全文
【補正方法】変更
【補正の内容】
【特許請求の範囲】
【請求項１】
医用画像中の人工物体の体裁を変更するための方法であって、
医用画像中において少なくとも１つの人工物体を特定することと、
前記人工物体のプロミネンスを低減させて、変更された人工物体を生成することと、
ディスプレイ上に前記変更された人工物体を含む前記医用画像を表示すること
を含む、方法。
【請求項２】
前記人工物体のプロミネンスを低減させることは、前記人工物体のプロミネンスを低減させるために前記人工物体の輝度を抑制することを含む、請求項１に記載の方法。
【請求項３】
前記人工物体のプロミネンスを低減させることは、前記人工物体のプロミネンスを低減させるために前記人工物体をマスキングすることを含む、請求項２に記載の方法。
【請求項４】
前記人工物体のプロミネンスを低減させることは、擬似組織画像により前記人工物体を隠蔽することを含む、請求項１に記載の方法。
【請求項５】
前記少なくとも１つの人工物体を特定することは、領域拡張法を利用して前記医用画像を処理することを含む、請求項１に記載の方法。
【請求項６】
輝度の最低しきい値を上回るすべての物体を検出することによって、プロミネンスを低減させるべき少なくとも１つの人工物体を特定することをさらに含む、請求項１に記載の方法。
【請求項７】
前記少なくとも１つの人工物体を特定することは、自動的に行われる、請求項１に記載の方法。
【請求項８】
前記医用画像はヒトの乳房の画像を含むマンモグラフィ画像である、請求項１に記載の方法。
【請求項９】
前記人工物体は、前記乳房の領域の内側に位置する一次物体と、前記乳房の前記領域の外側に位置する二次物体とを含み、前記人工物体のプロミネンスは、前記一次物体の輝度を抑制し、前記二次物体をマスキングすることによって低減される、請求項８に記載の方法。
【請求項１０】
前記少なくとも１つの人工物体は、ペースメーカ、乳房インプラント、リード・マーカ、ＢＢマーカ、拡大鏡フレーム、または前記医用画像の非被曝領域である、請求項１に記載の方法。
【請求項１１】
医用画像中の人工物体の体裁を変更するためのシステムであって、
医用画像中において少なくとも１つの人工物体を特定する特定ユニットと、
前記人工物体のプロミネンスを低減させて、変更された人工物体を生成する低減ユニットと
を備える、システム。
【請求項１２】
ディスプレイ上に前記変更された人工物体を含む医用画像を表示する表示ユニットをさらに備える、請求項１１に記載のシステム。
【請求項１３】
前記低減ユニットは、前記人工物体の輝度を抑制することによって、前記人工物体のプロミネンスを低減させる、請求項１１に記載のシステム。
【請求項１４】
前記低減ユニットは、前記人工物体をマスキングすることによって、前記人工物体の輝度を低減させる、請求項１３に記載のシステム。
【請求項１５】
前記低減ユニットは、擬似組織画像により前記人工物体を隠蔽することによって、前記人工物体のプロミネンスを低減させる、請求項１１に記載のシステム。
【請求項１６】
前記少なくとも１つの人工物体は、領域拡張法を利用して特定される、請求項１１に記載のシステム。
【請求項１７】
前記特定ユニットは、輝度の最低しきい値を上回るすべての物体を検出することによって、前記少なくとも１つの人工物体を特定する、請求項１１に記載のシステム。
【請求項１８】
前記少なくとも１つの人工物体は、自動的に特定される、請求項１１に記載のシステム。
【請求項１９】
前記医用画像は、ヒトの乳房の画像を含むマンモグラフィ画像である、請求項１１に記載のシステム。
【請求項２０】
前記人工物体は、前記乳房の領域の内側に位置する一次物体と、前記乳房の外側の領域内に位置する二次物体とを含み、前記人工物体のプロミネンスは、前記一次物体の輝度を抑制し、前記二次物体をマスキングすることによって低減される、請求項１９に記載のシステム。
【請求項２１】
前記少なくとも１つの人工物体が、ペースメーカ、乳房インプラント、リード・マーカ、拡大鏡フレーム、または前記医用画像の非被曝領域である、請求項１１に記載のシステム。
【請求項２２】
コンピュータ可読媒体上に具現化される、医用画像中の人工物体の体裁を変更するためのコンピュータ・プログラム製品であって、コンピュータによって実行されると、
医用画像中において少なくとも１つの人工物体を特定することと、
前記人工物体のプロミネンスを低減させて、変更された人工物体を生成することと、
ディスプレイ上に前記変更された人工物体を含む前記医用画像を表示することと
を含む方法を実行する、コンピュータ・プログラム製品。
【手続補正２】
【補正対象書類名】明細書
【補正対象項目名】００１７
【補正方法】変更
【補正の内容】
【００１７】
さらに、本発明の実施形態は、医用画像中の人工物体の体裁を変更するためのシステムに関し、医用画像中において少なくとも１つの人工物体を特定する特定ユニットと、人工物体のプロミネンスを低減させて、変更された人工物体を生成する低減ユニットとを備える。
【手続補正３】
【補正対象書類名】明細書
【補正対象項目名】００５５
【補正方法】変更
【補正の内容】
【００５５】
コンピュータ・プラットフォーム８０１は、システム管理者またはコンピュータ・プラットフォーム８０１のユーザに対して情報を表示するために、ブラウン管（ＣＲＴ）、プラズマ・ディスプレイ、または液晶ディスプレイ（ＬＣＤ）などのディスプレイ８０９にバス８０４を介して接続されてもよい。プロセッサ８０５に情報およびコマンド選択肢を通信するために、英数字キーまたは他のキーを備える入力デバイス８２０がバス８０１に接続される。他のタイプのユーザ入力デバイスは、方向情報およびコマンド選択肢をプロセッサ８０５に通信し、ディスプレイ８０９上のカーソルの移動を制御するための、マウス、トラックボール、またはカーソル方向キーなどのカーソル制御デバイス８１１である。この入力デバイスは、一般的には、第１の軸（例えばｘ）および第２の軸（例えばｙ）である２つの軸方向における２自由度を有し、それにより、デバイスは、平面中において位置を指定することが可能となる。
【手続補正４】
【補正対象書類名】明細書
【補正対象項目名】００５９
【補正方法】変更
【補正の内容】
【００５９】
コンピュータ可読媒体の一般的な形態には、例えば、フロッピー・ディスク（登録商標）、フレキシブル・ディスク、ハード・ディスク、磁気テープ、もしくは任意の他の磁気媒体、ＣＤ−ＲＯＭ、任意の他の光媒体、パンチカード、紙テープ、穴のパターンを有する任意の他の物理媒体、ＲＡＭ、ＰＲＯＭ、ＥＰＲＯＭ、ＦＬＡＳＨ−ＥＰＲＯＭ、フラッシュ・ドライブ、メモリ・カード、任意の他のメモリ・チップもしくはメモリ・カートリッジ、以降に説明されるような搬送波、またはコンピュータによる読出しが可能な任意の他の媒体が含まれる。
【手続補正５】
【補正対象書類名】明細書
【補正対象項目名】００６２
【補正方法】変更
【補正の内容】
【００６２】
典型的には、ネットワーク・リンク８１４は、１つまたは複数のネットワークを介して他のネットワーク・リソースへのデータ通信を実現する。例えば、ネットワーク・リンク８１４で、ローカル・ネットワーク８１５を介してホスト・コンピュータ８１６またはネットワーク・ストレージ／サーバ８２２への接続を実現してもよい。加えて、または代替として、ネットワーク・リンク８１４は、ゲートウェイ／ファイアウォール８１７を介してインターネットなどの広域またはグローバル・ネットワーク８１８に接続してもよい。したがって、コンピュータ・プラットフォーム８０１は、リモート・ネットワーク・ストレージ／サーバ８１９などの、インターネット８１８上の任意の場所にあるネットワーク・リソースにアクセスすることが可能となる。一方、さらに、コンピュータ・プラットフォーム８０１には、ローカル・エリア・ネットワーク８１５および／またはインターネット８１８上の任意の場所にあるクライアントからアクセスすることもできる。ネットワーク・クライアント８２０および８２１は、プラットフォーム８０１と同様のコンピュータ・プラットフォームに基づいて、それら自体において実装され得る。
【手続補正６】
【補正対象書類名】明細書
【補正対象項目名】００６６
【補正方法】変更
【補正の内容】
【００６６】
最後に、本明細書において説明されたプロセスおよび技術は、いずれかの特定の装置に本質的に関係付けられるものではなく、構成要素の任意の適切な組合せに より実現され得ることを理解されたい。さらに、様々なタイプの汎用デバイスを、本明細書において説明される教示にしたがって使用することができる。また、 本明細書において説明される方法ステップを実施するために専用装置を構築することが有利であることが理解されよう。本発明は、あらゆる点において限定的な ものではなく例示的なものとして意図される特定の例に関連して説明されている。ハードウェア、ソフトウェア、およびファームウェアの多数の様々な組合せが 本発明の実施に適することとなることが、当業者には理解されよう。例えば、説明されたソフトウェアは、アセンブラ、Ｃ／Ｃ＋＋（登録商標）、パール、シェル、ＰＨＰ、 Ｊａｖａ（登録商標）、等の多様なプログラミング言語またはスクリプト言語において実現され得る。